(57)【特許請求の範囲】
【請求項１】
唐草（８）が固定された屋根側端部（２）に、
唐草（８）の内側面に接合して唐草（８）よりも高く突出する側面部（５１ａ）と側面部（５１ａ）の端部から垂直に折れた下面部（５１ｂ）を有する下水切り板（５１）と唐草（８）の上面に接合する下面部（５２ａ）の端部に上方へ垂直に折れた側面部（５２ｂ）、側面部（５２ｂ）の上端から垂直に折れて側方へ突出した上面部（５２ｃ）及び上面部（５２ｃ）の端部から下方へ折れた垂下片部（５２ｄ）を連ねてなる上水切り板（５２）からなる捨て水切り板（５）と、
屋根側端部（２）の上方を覆う上部被覆面（７１）と側方を覆う側部被覆面（７２）と下方を覆う下部被覆面（７３）とを有して略コ字状の断面形状に形成された破風板（７）と、
屋根側端部（２）の側面に接合する側面部（６１）の上下両部に端部を垂直に折り曲げて破風板（７）の内面に当接する支持片部（６２、６３）を設けてなるブラケット（６）とからなる破風構成体（４）を取り付ける構造において、
前記下水切り板（５１）を、その側面部（５１ａ）を唐草（８）の内側面、下面部（５１ｂ）を屋根側端部（２）の上面にそれぞれ接合させて唐草（８）に沿って軒から棟まで取り付けた後、屋根上面に金属製屋根材（１）を取り付け、当該屋根材（１）の側端部（１ａ）は上方へ折り返して前記下水切り板（５１）の側面部（５１ａ）内側に重ね合わせ、
次いで側面部（５２ｂ）と上面部（５２ｃ）の内折れ部に防水材（１１）を装着した前記上水切り板（５２）を、その下面部（５２ａ）を唐草（８）の上面、側面部（５２ｂ）を唐草（８）の上方に突出した下水切り板（５１）の側面部（５１ａ）にそれぞれ接合させ、上面部（５２ｃ）を下水切り板（５１）に被せて唐草（８）に沿って軒から棟まで取り付けるとともに、上下の水切り板（５１、５２）と屋根材側端部（１ａ）の継ぎ目部分に防水材（１１）を被せて塞ぎ、
屋根側端部（２）の側面に適宜な間隔を開けて複数のブラケット（６）を取り付けた後、前記破風板（７）の上部被覆面（７１）端部の下折れした縁部の係合部（７１ｂ）を上水切り板（５２）の垂下片部（５２ｄ）に係合させながら破風板（７）の下側を屋根側端部（２）の下側へ押し込んで下部被覆面（７３）端部の折り返し部（７３ｂ）を屋根側端部（２）下面に接合させて、破風板（７）を捨て水切り板（５）とブラケット（６）で支持させ、
上部被覆面（７１）と上水切り板（５２）の垂下片部（５２ｄ）との重合部と下部被覆面（７３）と屋根側端部（２）下面との重合部とに固着具を打ち込んで破風板（７）を固定することを特徴とする破風構成体の取り付け構造。
【請求項２】
破風板（７）の側部被覆面（７２）に軒側から棟側に伸びた凹溝（７２ａ）を設け、この凹溝（７２ａ）から固着具を打ち込んで破風板（７）を固定する請求項１に記載の破風構成体の取り付け構造。
【請求項３】
請求項１又は２に記載の破風構成体の取り付け構造において、金属製屋根材とは種類の異なる屋根材（１）を金属製屋根材に代えて屋根上面に取り付け、上下の水切り板（５１、５２）の継ぎ目部分を防水剤（１３）で被覆して塞ぐことを特徴とする破風構成体の取り付け構造。
【発明の詳細な説明】
【０００１】
【発明の属する技術分野】
本発明は、屋根のケラバに取り付けて破風を構成する破風構成体の取り付け構造に関する。
【０００２】
【従来の技術】
家屋の切妻屋根廻りの造作において、妻側端部を装飾するため、屋根の端部に沿って長尺枠状に形成された破風板を取り付けることがある。このような屋根構造では、妻側端部に沿って支持具を固着し、この支持具に破風板を接合し、ビス止めして破風板を固定している。
【０００３】
【発明が解決しようとする課題】
破風板の取り付けは、屋根の側方で破風板を支えながら取り付け位置を合わせ、取り付け位置が決まったところで支持具に破風板をあてがい、その状態のままビスやネジをねじ入れて固定するとう作業手順によって行われ、支持具に固定されるまで破風板を支える必要があることから、一人の作業者で取り付け作業を行うことは困難であり、破風板の位置決めや固定作業にも時間を要していた。
また、屋根材の種類（瓦、スレート、金属）にかかわりなく同形状の破風板を使用することができれば、施工コストの削減が可能となるが、従来そのような構造のものはなく、また、特に金属製の屋根材では、屋根材裏側に雨水が入り込まないよう、屋根材と破風板との取り合い部分の防水処理を確実に施しておく必要がある。
【０００４】
本発明は従来技術の有するこのような問題点に鑑み、破風板の取り付けを一人の作業者でも容易、確実且つ迅速に行えるようにするとともに、屋根材の種類にかかわりなく、同形状の破風板を使用できるようにことを課題とする。
【０００５】
【課題を解決するための手段】
前記課題を解決するため本発明は、唐草が固定された屋根側端部に、
唐草の内側面に接合して唐草よりも高く突出する側面部と側面部の端部から垂直に折れた下面部を有する下水切り板と唐草の上面に接合する下面部の端部に上方へ垂直に折れた側面部、側面部の上端から垂直に折れて側方へ突出した上面部及び上面部の端部から下方へ折れた垂下片部を連ねてなる上水切り板からなる捨て水切り板と、
屋根側端部の上方を覆う上部被覆面と側方を覆う側部被覆面と下方を覆う下部被覆面とを有して略コ字状の断面形状に形成された破風板と、
屋根側端部の側面に接合する側面部の上下両部に端部を垂直に折り曲げて破風板の内面に当接する支持片部を設けてなるブラケットとからなる破風構成体を取り付ける構造において、
前記下水切り板を、その側面部を唐草の内側面、下面部を屋根側端部の上面にそれぞれ接合させて唐草に沿って軒から棟まで取り付けた後、屋根上面に金属製屋根材を取り付け、当該屋根材の側端部は上方へ折り返して前記下水切り板の側面部内側に重ね合わせ、
次いで側面部と上面部の内折れ部に防水材を装着した前記上水切り板を、その下面部を唐草の上面、側面部を唐草の上方に突出した下水切り板の側面部にそれぞれ接合させ、上面部を下水切り板に被せて唐草に沿って軒から棟まで取り付けるとともに、上下の水切り板と屋根材側端部の継ぎ目部分に防水材を被せて塞ぎ、
屋根側端部の側面に適宜な間隔を開けて複数のブラケットを取り付けた後、前記破風板の上部被覆面端部の下折れした縁部の係合部を上水切り板の垂下片部に係合させながら破風板の下側を屋根側端部の下側へ押し込んで下部被覆面端部の折り返し部を屋根側端部下面に接合させて、破風板を捨て水切り板とブラケットで支持させ、
上部被覆面と上水切り板の垂下片部との重合部と下部被覆面と屋根側端部下面との重合部とに固着具を打ち込んで破風板を固定することを特徴とする。
これによれば、破風板は、その上部を捨て水切り板で、側部をブラケットでそれぞれ支持されて屋根側端部に仮止めされ、その状態のままスライドさせて取り付け位置を調節できるので、位置決めや固定作業において破風板を手で支える必要はなく、位置の微調節も可能となり、取り付け作業を容易且つ迅速に行うことができる。破風板と屋根材との取り合い部分の隙間は捨て水切り板によって塞がれるので、屋根材表面から屋根側端部に滴下した雨水は捨て水切り板を伝って雨樋に流入し、破風板内に雨水が進入することはない。金属製屋根材の裏側に雨水が入り込むことも防止することができる。
【０００６】
また、前記構成において、破風板の側部被覆面に軒側から棟側に伸びた凹溝を設け、この凹溝からビスやネジ、釘などの固着具をねじ入れ、或いは打ち込んで破風板を固定することが好ましい。このようにすれば、ビスやネジが破風板の表面に突き出ないので破風板の見た目が良くなり、また、ビスやネジが凹溝内に没入しているので、破風板表面から内部へ雨水が進入し難くなる。
【０００７】
前記構成において、金属製屋根材とは種類の異なるスレートや瓦といった屋根材を金属製屋根材に代えて屋根上面に取り付けることができる。
【０００８】
【発明の実施の形態】
図面を参照して本発明の好適な一実施形態を説明する。
図１は本発明により破風を構成した屋根の外観を示した図、図２は破風板を取り付けた構造の側面模式図、図３は捨て水切り板を取り付ける手順を示した屋根側端部の断面図、図４は屋根材、捨て水切り板及びブラケットを取り付ける手順を示した屋根側端部の断面図、図５は捨て水切り板とブラケットが取り付けられた屋根側端部の外観図、図６は破風板を組み付ける手順を示した屋根側端部の断面図、図７はスレートを屋根材に用いた屋根に本発明により破風を構成した屋根側端部の断面図である。
【０００９】
図１に示されるように、本形態は金属製の屋根材１を用いた切妻屋根の側端部２に沿って破風構成体４を取り付け、その棟側（図示せず）から軒樋３の側方にいたるケラバが幅広の破風板で覆われるように構成してある。
【００１０】
破風構成体４は、図２に示されるように、捨て水切り板５、ブラケット６及び破風板７を主要素として構成される。これら部材は、例えば表面を塩化ビニル樹脂で被覆した鋼板などの金属板を用いて形成される。
【００１１】
捨て水切り板５は、下水切り板５１と上水切り板５２により構成され、それぞれ適宜な長さの鋼板をその長手方向に沿って折り曲げて形成されている。
詳しくは、下水切り板５１は、後述する唐草８の側面に接合する側面部５１ａと、側面部５１ａの端部から垂直に折れて屋根側端部２の上面に接合する下面部５１ｂとを有して長尺Ｌ字形に形成されている。側面部５１ａは、図３（Ｂ）に示されるように、下水切り板５１を唐草８に沿って設置したときに、唐草８の上面よりも若干突出する高さに設定してある。上水切り板５２は、唐草８の上面に接合する下面部５２ａと、下面部５２ａの端部から上方へ垂直に折れた側面部５２ｂと、側面部５２ｂの上端から垂直に折れて側方へ適宜な長さ突出した上面部５２ｃと、上面部５２ｃの端部から下方へ折れた垂下片部５２ｄとを有して長尺に形成されている。側面部５２ｂの高さは、前記側面部５１ａの唐草８の上面よりも突出する部分と略同じ高さに設定され、図４（Ｂ）に示されるように、上水切り板５２の下面部５２ａを唐草８の上面に設置したときに、下水切り板５１の側面部５１ａの外側に側面部５２ｂが接合し、側面部５１ａの上端に上面部５２ｃが当接するように設けてある。
下水切り板５１と上水切り板５２は、同形状の複数の板を軒から棟まで接合して屋根側端部２に取り付けられ、全体として捨て水切り板５は棟から軒樋３の上方にわたって設置される。
なお、捨て水切り板５は、破風板７を取り付けた状態で、屋根側端部２から上方に突出した破風板７の内側開口部７４を閉鎖し得る大きさに設けてある。
【００１２】
ブラケット６は、帯状の鋼板を折り曲げ、破風板７の内面に接合してこれを支持し得る形状に設けてある。
詳しくは、図４（Ｃ）に示されるように、ブラケット６は、上部が外折れした側面部６１と、側面部６１の上端から垂直に内折れしていて端部を下方へ折り返してなる上部支持片部６２と、側面部６１の下端から垂直に内折れしていて端部を上方へ折り返してなる下部支持片部６３とを有して形成されている。ブラケット６は、屋根側端部２に設置したときに、側面部６１が屋根側端部２の側面と唐草８の側面に接合するとともに、唐草８の上面に取り付けられた上水切り板５２の下面部５２ａと側面部５２ｂに重なり、上水切り板５２の上面部５２ｃと同高さに上部支持片部６２が配されて連続した破風板支持面を形成するように設けてある。また、屋根側端部２の側面に対して上部支持片部６２と下部支持片部６３が同幅で突出するように設けてある。
【００１３】
破風板７は、軒側端部に取り付けられる破風先端７Ａと、これと接合して棟側に取り付けられる破風本体７Ｂにより構成され、それぞれ屋根側端部２の周囲を被覆する被覆面を有し、内側を開口した中空枠状に形成されている。詳しくは、図６に示されるように、両部材は、屋根側端部２の上方を被覆する上部被覆面７１と、側方を被覆する側部被覆面７２と、下方を被覆する下部被覆面７３とを有し、側部被覆面７２と対向した上下両部被覆面間を開口部７４とした略コ字状の断面形状を有して形成されている。破風先端７Ａは、さらに軒側先端部に、前方及び開口先端部を被覆する前部被覆面７５を有し、当該先端部分は周囲を閉塞した箱形状に形成されている。上部被覆面７１の端部には下方へ折れ曲がった下折れ部７１ａが連なり、この下折れ部７１ａの縁部は内側上方に折り返した係合部７１ｂが形成してある。また、下部被覆面７３の端部には上方へ折れた上折れ部７３ａが連なり、この上折れ部７３ａの縁部は下部被覆面７３と平行に外方に延びた折返部７３ｂが形成してある。さらに側部被覆面７２には、破風板７を屋根側端部２に取り付けたときに軒側から棟側に連続して伸びる凹溝７２ａが形成してある。破風先端７Ａと破風本体７Ｂの棟側端部にはそれぞれ継手部７６が一体に固着してある。
【００１４】
これらの部材からなる破風構成体４は以下の手順で屋根側端部２に取り付けられる。
先ず、屋根側端部２の上面に沿って唐草８を載せ、その上面に釘９を打ち込んで固定する。唐草８を固定したならば、唐草８を含む屋根の表面と屋根側端部２の側面にルーフィングを張り、さらにそれらの表面に耐水シートに重ねて張って防水処理を施す。
【００１５】
次に、図３に示されるように、下水切り板５１を唐草８に沿って取り付ける。
取り付けは、側面部５１ａを唐草８の内側面に押し当てるとともに、下面部５１ｂの折り返し縁部に吊り子１０を係合させて釘９で固定して行い、軒側の下水切り板５１が固定されたならば、その端部に棟側の下水切り板５１の端部を継ぎ合わせて順次固定する。
【００１６】
軒側から棟側にいたる唐草８の内側面に沿って下水切り板５１が取り付けられたならば、屋根の上面に金属製の屋根材１を取り付ける。
このとき、図４（Ａ）に示されるように、屋根材１の側端部１ａを下水切り板５１に沿って上方へ折り返すとともに、折り返した端部が側面部５１ａの上端よりも低くなるように切断し、下水切り板５１の内側に重ね合わせておく。
【００１７】
次に、図４（Ｂ）に示されるように、上水切り板５２を唐草８に沿って取り付ける。
このとき、上水切り板５２の側面部５２ｂと上面部５２ｃの内折れ部には、例えばエプトシラーなどの防水性を有するクッション材１１を装着しておき、上面部５２ｃを下水切り板５１に被せるようにして、唐草８の上面に下面部５２ａを接合させ、釘９を打ち込んで固定する。屋根材１の側端部１ａと下水切り板５１の側面部５１ａの継ぎ目部分は、側面部５２ｂと上面部５２ｃの内折れ部に装着されたクッション材１１で被覆される。下水切り板５１と同様に、軒側の上水切り板５２が固定されたならば、その端部に棟側の上水切り板５２の端部を継ぎ合わせて順次固定する。なお、クッション材１１の代わりにコーキング剤などの防水剤を用いて、屋根材１の側端部１ａと下水切り板５１の側面部５１ａの継ぎ目部分を被覆してもよい。
【００１８】
唐草８に沿って捨て水切り板５が取り付けられたならば、屋根側端部２の側面にブラケット６を取り付ける。
ブラケット６の取り付けは、図４（Ｃ）及び図５に示されるように、側面部６１を屋根側端部２の側面と唐草８に接合させるとともに、上水切り板５２の上面部５２ｃと上部支持片６２とが同じ面となるように位置を合わせた状態で、側面部６１にビス１２を打ち込んで行う。ブラケット６は屋根側端部２の側面に適当な間隔を開けて取り付けておく。
【００１９】
次に、軒側から破風板７を取り付ける。破風板７の取り付けは、破風先端７Ａから行い、破風先端７Ａの上部を捨て水切り板５に引っ掛けて回転するように押さえながら組み付ける。
具体的には、図６（Ａ）に示されるように、先ず、上部被覆面７１端部の下折れ部７１ａを上水切り板５２の上面部５２ｃに被せ、縁部の係合部７１ｂを垂下片部５２ｄに係合させ、この係合部を軸として破風先端７Ａの下側を屋根側に回転させる。
そして、下部被覆面７３を下方に引っ張って破風先端７Ａの下側を開かせながら、屋根側端部２の下側に押し込んで破風先端７Ａを捨て水切り板５及びブラケット６に装着する。
装着された破風先端７Ａは、その上部被覆面７１及び側部被覆面７２が捨て水切り板５とブラケット６とに接合して支持され、下部被覆面７３の折返部７３ｂが屋根側端部２の下面に接合した状態で仮止めされる。
そして、この状態で軒又は棟側にスライドさせて取り付け位置を調節した後、図６（Ｂ）に示されるように、側部被覆面７２に形成された凹溝７２ａからビス１２を唐草８の側面に打ち込んで当該面を固定し、さらに折返部７３ｂを屋根側端部２の下面に釘９で固定する。
また、上部被覆面７１の下折れ部７１ａと捨て水切り板５の垂下片部５２ｄとの重合部もビス１２を打ち込んで一体に固定する。破風先端７Ａを取り付けた後、同様の手順で破風本体７Ｂを取り付ける。この際、破風本体７Ｂの軒側先端は、破風先端７Ａの継手部７６に重ねて接合するが、両破風の突き当て部は熱伸縮を吸収するため、若干の隙間を設けておく。
【００２０】
そして、破風板７を棟側まで取り付けたならば、破風板７のビス１２を打ち込んだ部分にコーキング剤を充填して防水処理を施し、破風構成体４の施工が完了する。
【００２１】
図７は、屋根材１としてスレートを用いた屋根に破風構成体４を取り付けた屋根側端部２の断面を示している。
屋根材１にスレートを用いた場合であっても、破風構成体４は、上記と同一の部材を用い、同様の手順で取り付けることができる。なお、この場合、下水切り板５１の側面部５１ａの上端と、上水切り板５２の上面部５２ｃの当接部分は、防水剤１３で被覆される。
【００２２】
このように本発明によれば、屋根材１の種類にかかわりなく、同一構成の破風構成体４を取り付けることができるので、施工コストの削減が可能となる。また、破風板７は、その上部を捨て水切り板５で、側部をブラケット６でそれぞれ支持されて屋根側端部２に仮止めされ、その状態のまま取り付け位置を調節できるので、取り付け作業を容易且つ迅速に行うことができる。破風板７と屋根材１の取り合い部分の隙間は捨て水切り板５によって塞がれるので、取り合い部分の雨水は捨て水切り板５を伝い軒樋３に導かれて流れ落ち、雨水が破風板７の内側に進入し、破風板先端から滴ったり、滞留して錆を発生させたりすることはない。また、破風板７の側部被覆面７２に設けた凹溝７２ａ内にビス１２を打ち込んで固定しているから、ビス１２が破風板７の表面に突き出ず、破風板７の外観を見た目の良いものとし、破風板表面から内部へ雨水が進入し難くなる。
【００２３】
なお、図示した形態では、破風板７を別体の破風先端７Ａと破風本体７Ｂにより構成したが一体に構成してもよく、また、屋根側端部２の上方、側方、下方を覆う部分毎で別体に構成してもよい。捨て水切り板５とブラット６も他の適宜な形状に設けることができる。
本発明は屋根の妻側の端部に限らず、破風板を取り付ける任意の形態の屋根に適用可能である。
【００２４】
【発明の効果】
本発明によれば、破風板の取り付けを一人の作業者でも短時間で容易且つ正確に行うことができ、また、屋根材の種類にかかわりなく、同形状の破風板を使用でき、施工コストの削減が可能となる。
【図面の簡単な説明】
【図１】本発明により破風を構成した一実施形態の屋根の外観を示した図である。
【図２】破風板を取り付けた構造の側面模式図である。
【図３】捨て水切り板を取り付ける手順を示した屋根の外観図（Ａ）と側端部の断面図（Ｂ）である。
【図４】（Ａ）、（Ｂ）、（Ｃ）はそれぞれ屋根材、捨て水切り板及びブラケットを取り付ける手順を示した屋根側端部の断面図である。
【図５】捨て水切り板とブラケットが取り付けられた屋根側端部の外観図である。
【図６】（Ａ）、（Ｂ）はそれぞれ破風板を組み付ける手順を示した屋根側端部の断面図である。
【図７】スレートを屋根材に用いた屋根に本発明により破風を構成した屋根側端部の断面図である。
【符号の説明】
１    屋根材            ２    屋根側端部            ３    軒樋
４    破風構成体        ５    捨て水切り板          ５１  下水切り板
５２  上水切り板        ６    ブラケット            ７    破風板
７Ａ  破風先端          ７Ｂ  破風本体              ８    唐草
９    釘                １０  吊り子                １１  クッション材
１２  ビス              １３  防水剤
【図１】
0003923787.tif 000002
【図２】
0003923787.tif 000003
【図３】
0003923787.tif 000004
【図４】
0003923787.tif 000005
【図５】
0003923787.tif 000006
【図６】
0003923787.tif 000007
【図７】
0003923787.tif 000008